(57)【要約】【課題】  ＤＳＬサービス変更の際に各エンドユーザの環境に合わせた最適なＤＳＬモードを選択・適応可能な管理サーバを提供する。【解決手段】  速度保証型ＤＳＬモード管理サーバ１はＤＳＬＡＭ装置（Ａ）７−１及びＤＳＬＡＭ装置（Ｂ）７−２からモデム機種名、ＤＳＬモード、獲得レート等の回線運用データ収集を行うとともに、対象回線に対して順次取得可能なＤＳＬモード毎の設定を行い、その結果として最も高レートとなる最適ＤＳＬモード設定を割り出す。速度保証型ＤＳＬモード管理サーバ１はＤＳＬＡＭ装置（Ａ）７−１及びＤＳＬＡＭ装置（Ｂ）７−２との間で装置管理情報の通信を行う管理系ネットワーク１００を介してＤＳＬＡＭ装置（Ａ）７−１及びＤＳＬＡＭ装置（Ｂ）７−２とデータの送受信を行う。【選択図】      図１                                                  
2005151371.tif 000002
【特許請求の範囲】
【請求項１】
ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を管理サーバにて行うＤＳＬモード管理システムであって、前記各種ＤＳＬ方式のパラメータ設定を実施する実施手段と、その実施結果を基に最も獲得レートの高かった設定を採用する設定手段とを前記管理サーバに有することを特徴とするＤＳＬモード管理システム。
【請求項２】
前記ＤＳＬ回線を多重するＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置各々に対して設定する設定パラメータ群を前記ＤＳＬ方式毎に分類して保持するモード別・設定値プロファイル保持手段を前記管理サーバに含み、
前記実施手段は、前記モード別・設定値プロファイル保持手段の保持内容を基に前記ＤＳＬ回線に対して前記各種ＤＳＬ方式に対応した設定値を順次割り当てていくことを特徴とする請求項１記載のＤＳＬモード管理システム。
【請求項３】
前記モード別・設定値プロファイル保持手段の保持内容を外部から設定自在としたことを特徴とする請求項２記載のＤＳＬモード管理システム。
【請求項４】
前記各種ＤＳＬ方式によるサービス変更時に前記実施手段による実施結果から当該サービスの変更で獲得レートが低下したことを検出する検出手段を前記管理サーバに含み、
前記設定手段は、前記検出手段で前記獲得レートの低下が検出された時にその設定を前記サービス変更前の設定に戻すことを特徴とする請求項１から請求項３のいずれか記載のＤＳＬモード管理システム。
【請求項５】
前記設定手段の設定結果を基に前記ＤＳＬ回線をレートアップ回線リスト、サービス未変更回線リスト、異常発生回線リストのいずれかに分類して蓄積するリスト保持手段を前記管理サーバに含み、
少なくとも前記リスト保持手段の蓄積データを基に前記ＤＳＬ回線全ての収集データをフィルタリングすることを特徴とする請求項１から請求項４のいずれか記載のＤＳＬモード管理システム。
【請求項６】
前記リスト保持手段に蓄積された前記異常発生回線リストを電子メールにてシステム管理者に通知する手段を前記管理サーバに含むことを特徴とする請求項５記載のＤＳＬモード管理システム。
【請求項７】
ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を行う管理サーバであって、前記各種ＤＳＬ方式のパラメータ設定を実施する実施手段と、その実施結果を基に最も獲得レートの高かった設定を採用する設定手段とを有することを特徴とする管理サーバ。
【請求項８】
前記ＤＳＬ回線を多重するＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置各々に対して設定する設定パラメータ群を前記ＤＳＬ方式毎に分類して保持するモード別・設定値プロファイル保持手段を含み、
前記実施手段は、前記モード別・設定値プロファイル保持手段の保持内容を基に前記ＤＳＬ回線に対して前記各種ＤＳＬ方式に対応した設定値を順次割り当てていくことを特徴とする請求項７記載の管理サーバ。
【請求項９】
前記モード別・設定値プロファイル保持手段の保持内容を外部から設定自在としたことを特徴とする請求項８記載の管理サーバ。
【請求項１０】
前記各種ＤＳＬ方式によるサービス変更時に前記実施手段による実施結果から当該サービスの変更で獲得レートが低下したことを検出する検出手段を含み、
前記設定手段は、前記検出手段で前記獲得レートの低下が検出された時にその設定を前記サービス変更前の設定に戻すことを特徴とする請求項７から請求項９のいずれか記載の管理サーバ。
【請求項１１】
前記設定手段の設定結果を基に前記ＤＳＬ回線をレートアップ回線リスト、サービス未変更回線リスト、異常発生回線リストのいずれかに分類して蓄積するリスト保持手段を含み、
少なくとも前記リスト保持手段の蓄積データを基に前記ＤＳＬ回線全ての収集データをフィルタリングすることを特徴とする請求項７から請求項１０のいずれか記載の管理サーバ。
【請求項１２】
前記リスト保持手段に蓄積された前記異常発生回線リストを電子メールにてシステム管理者に通知する手段を含むことを特徴とする請求項１１記載の管理サーバ。
【請求項１３】
ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を管理サーバにて行うＤＳＬモード管理方法であって、前記管理サーバ側に、前記各種ＤＳＬ方式のパラメータ設定を実施するステップと、その実施結果を基に最も獲得レートの高かった設定を採用するステップとを有することを特徴とするＤＳＬモード管理方法。
【請求項１４】
前記ＤＳＬ回線を多重するＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置各々に対して設定する設定パラメータ群を前記ＤＳＬ方式毎に分類して保持するモード別・設定値プロファイル保持手段を前記管理サーバに含み、
前記パラメータ設定を実施するステップは、前記モード別・設定値プロファイル保持手段の保持内容を基に前記ＤＳＬ回線に対して前記各種ＤＳＬ方式に対応した設定値を順次割り当てていくことを特徴とする請求項１３記載のＤＳＬモード管理方法。
【請求項１５】
前記モード別・設定値プロファイル保持手段の保持内容を外部から設定自在としたことを特徴とする請求項１４記載のＤＳＬモード管理方法。
【請求項１６】
前記管理サーバ側に、前記各種ＤＳＬ方式によるサービス変更時に前記実施手段による実施結果から当該サービスの変更で獲得レートが低下したことを検出するステップを含み、
前記設定を採用するステップは、前記獲得レートの低下が検出された時にその設定を前記サービス変更前の設定に戻すことを特徴とする請求項１３から請求項１５のいずれか記載のＤＳＬモード管理方法。
【請求項１７】
前記設定を採用するステップの結果を基に前記ＤＳＬ回線をレートアップ回線リスト、サービス未変更回線リスト、異常発生回線リストのいずれかに分類して蓄積するリスト保持手段を前記管理サーバに含み、
少なくとも前記リスト保持手段の蓄積データを基に前記ＤＳＬ回線全ての収集データをフィルタリングすることを特徴とする請求項１３から請求項１６のいずれか記載のＤＳＬモード管理方法。
【請求項１８】
前記管理サーバ側に、前記リスト保持手段に蓄積された前記異常発生回線リストを電子メールにてシステム管理者に通知するステップを含むことを特徴とする請求項１７記載のＤＳＬモード管理方法。
【請求項１９】
ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を管理サーバにて行うＤＳＬモード管理方法のプログラムであって、コンピュータに、前記管理サーバ側に、前記各種ＤＳＬ方式のパラメータ設定を実施する処理と、その実施結果を基に最も獲得レートの高かった設定を採用する処理とを実行させるためのプログラム。
【発明の詳細な説明】
【技術分野】
【０００１】
本発明はＤＳＬモード管理システム、管理サーバ及びそれらに用いるＤＳＬモード管理方法並びにそのプログラムに関し、特にＤＳＬ（Ｄｉｇｉｔａｌ  Ｓｕｂｓｃｒｉｂｅｒ  Ｌｉｎｅ）回線に対する各種ＤＳＬ方式のうちの最適な方式のパラメータ設定方法に関する。
【背景技術】
【０００２】
各種ＤＳＬ方式としては、ｘＤＳＬ関連の現在の各種規格、例えばＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ，Ｔｅｌｅｃｏｍｍｕｎｉｃａｔｉｏｎ  Ｓｔａｎｄａｒｄｉｚａｔｉｏｎ  Ｓｅｃｔｏｒ）  Ｇ．９９２．２  （ＶＤＳＬ：Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）、ＩＴＵ−Ｔ  Ｇ．９９２．１  Ｑｕａｄ、ＩＴＵ−Ｔ  Ｇ．９９２．１  Ａｎｎｅｘ−Ｉ、ＩＴＵ−Ｔ  Ｇ．９９２．５（ＡＤＳＬ＋：Ａｓｙｍｍｅｔｒｉｃ  Ｄｉｇｉｔａｌ  Ｓｕｂｓｃｒｉｂｅｒ  Ｌｉｎｅ  ｐｌｕｓ）、ＩＴＵ−Ｔ  Ｇ．９９２．３（ＡＤＳＬ  ｂｉｓ）、ＩＴＵ−Ｔ  Ｇ．９９２．１  Ａｎｎｅｘ−Ｃ  ＤＢＭ（ｄｕａｌ  ｂｉｔｍａｐ）、ＩＴＵ−Ｔ  Ｇ．９９２．１  Ａｎｎｅｘ−Ｃ  ＦＢＭ−ｓＯＬ［ＦＥＸＴ（ｆａｒ  ｅｎｄ  ｃｒｏｓｓｔａｌｋ）  ｂｉｔｍａｐ  ｓｈａｐｅｄ  ｏｖｅｒｌａｐ］／ＥＦＢＭ−ｓＯＬ（拡張ＦＢＭ−ｓＯＬ）、及び将来規定されるｘＤＳＬ関連の規格で決定されるＤＳＬ方式がある。以下、これらの方式をＤＳＬモードとする。
【０００３】
近年、ＤＳＬ方式としては、ＡＤＳＬ市場が急激な伸びを見せている。それとともに、ますますエンドユーザから、より安価に、より高レートのブロードバンド・ネットワーク環境を使用したいという欲求も増してきている。
【０００４】
このユーザの欲求に答えるべくｘＤＳＬ技術も急激な進歩を見せ、数ヶ月おきにＡＤＳＬサービスによって提供されるレートが増してきている状況となっている。
【０００５】
【特許文献１】特開平１０―９８４８０号公報
【特許文献１】特開２０００−２４４４９５号公報
【発明の開示】
【発明が解決しようとする課題】
【０００６】
上述した従来のＤＳＬ方式では、数ヶ月毎にＡＤＳＬサービスによって提供されるレートが増加してきており、このＡＤＳＬサービスのレート増加に伴って、多くのＡＤＳＬユーザが新たな、より高レートのサービスへの変更を行っている。しかしながら、実際に新規のサービスを導入してみると、以前の契約サービスよりも獲得レートが落ちてしまうという現象が多々発生し、通信事業者のカスタマ・サポート・センタへ多くの苦情電話が殺到するという事態が起こっている。
【０００７】
これはＡＤＳＬの高レートのサービスが高周波帯域の信号を使っているため、局舎から短距離にいるエンドユーザにしか恩恵が得られない点や、ＤＳＬモード等の各種ＤＳＬパラメータ設定が必ずしも各エンドユーザで最適化されていない点等のＡＤＳＬ技術の特殊性に依存した問題である。
【０００８】
このような背景から、（１）エンドユーザ毎の環境に合わせた最適なＤＳＬパラメータ選択を実施し、エンドユーザ毎の環境で最大のレートが出る設定を見つけだすこと、（２）サービス変更前の設定が最適な設定である場合にサービス変更を行わないこと等を自動的に実施し、通信事業者のカスタマ・サポート・センタの負荷削減に貢献するシステムの開発が必要とされている。
【０００９】
尚、本願出願人からは、回線毎に最適な運用条件が異なる通信回線を介して情報ネットワーク上の端末をコンピュータネットワークに接続する装置による通信回線の設定変更を、各回線毎にエンドユーザの要求・指向・環境に応じて最適かつ動的に行う方法が提案されている。この方法では上記の（１）や（２）が実現可能なように思われるが、定義された判定データを基に通信回線の状態を判定しているため、実際のエンドユーザの環境に合わせた最適な設定を行うことはできない。
【００１０】
そこで、本発明の目的は上記の問題点を解消し、ＤＳＬサービス変更の際に各エンドユーザの環境に合わせた最適なＤＳＬモードを選択・適応することができるＤＳＬモード管理システム、管理サーバ及びそれらに用いるＤＳＬモード管理方法並びにそのプログラムを提供することにある。
【課題を解決するための手段】
【００１１】
本発明によるＤＳＬモード管理システムは、ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を管理サーバにて行うＤＳＬモード管理システムであって、前記各種ＤＳＬ方式のパラメータ設定を実施する実施手段と、その実施結果を基に最も獲得レートの高かった設定を採用する設定手段とを前記管理サーバに備えている。
【００１２】
本発明による管理サーバは、ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を行う管理サーバであって、前記各種ＤＳＬ方式のパラメータ設定を実施する実施手段と、その実施結果を基に最も獲得レートの高かった設定を採用する設定手段とを備えている。
【００１３】
本発明によるＤＳＬモード管理方法は、ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を管理サーバにて行うＤＳＬモード管理方法であって、前記管理サーバ側に、前記各種ＤＳＬ方式のパラメータ設定を実施するステップと、その実施結果を基に最も獲得レートの高かった設定を採用するステップとを備えている。
【００１４】
本発明によるＤＳＬモード管理方法のプログラムは、ＤＳＬ（Ｄｉｇｉｔａｌ  Ｓｕｂｓｃｒｉｂｅｒ  Ｌｉｎｅ）回線に対する各種ＤＳＬ方式に対応するパラメータ設定を管理サーバにて行うＤＳＬモード管理方法のプログラムであって、コンピュータに、前記管理サーバ側に、前記各種ＤＳＬ方式のパラメータ設定を実施する処理と、その実施結果を基に最も獲得レートの高かった設定を採用する処理とを実行させている。
【００１５】
すなわち、本発明のＤＳＬモード管理システムは、モード別・設定値プロファイルを用いて、ＤＳＬ（Ｄｉｇｉｔａｌ  Ｓｕｂｓｃｒｉｂｅｒ  Ｌｉｎｅ）回線に対して順次様々なＤＳＬモードに対応した設定値を割り当てていき、最も獲得レートの高いモード別・設定値プロファイルを最終的に採用するというモード最適化処理を実施することによって、各ＤＳＬ回線の環境に合わせた最適なＤＳＬモードでの回線運用を実現可能としている。
【００１６】
これによって、本発明のＤＳＬモード管理システムでは、ＤＳＬ回線のエンドユーザがサービス変更する際に、サービス変更で効果がある場合にのみ高レートのサービスに対応した設定値プロファイルの設定を実施し、効果がない場合に元々の契約サービスに対応した設定値プロファイルのまま運用することが可能になる。
【００１７】
したがって、本発明のＤＳＬモード管理システムでは、エンドユーザからのサービス変更要求時に少なくともサービス変更にともなう獲得レートの低下を避けることが可能となり、通信事業者のカスタマ・サポート・センタ等へのエンドユーザからの苦情を削減することが可能となる。
【００１８】
また、本発明のＤＳＬモード管理システムでは、監視対象モデム機種名データ及びリスト保持部の蓄積データを基に速度保証型ＤＳＬモード管理サーバの配下の全ＤＳＬ回線の収集データをフィルタリングすることによって、監視対象回線をサーバ自身で割り出すことが可能となる。これによって、本発明のＤＳＬモード管理システムでは、通信事業者が本サーバを使用したＤＳＬ回線のモード管理を速やかに導入することが可能となる。
【００１９】
さらに、本発明のＤＳＬモード管理システムでは、速度保証型ＤＳＬモード管理サーバで使用する各種データ（モード別・設定値プロファイル、監視対象モデム機種名データ）を簡易かつ柔軟に構成することが可能であるため、データ登録手段によるデータの入替えや追加を容易に行うことが可能となる。
【００２０】
これによって、本発明のＤＳＬモード管理システムでは、新たなＤＳＬ技術（サービス）が導入され、新規のモデムや新規のＤＳＬモードに対応した設定値プロファイルが出てきた場合にも、システムプログラムの内容を変更せずに容易に対応することが可能となる。
【００２１】
さらにまた、本発明のＤＳＬモード管理システムでは、装置データ設定部や装置データ収集部が装置インタフェースと独立になっているため、異機種の装置（他ベンダの装置）が監視下に追加された場合にも、装置インタフェース部分のみを追加することでシステムに収容可能となる。
【００２２】
これによって、本発明のＤＳＬモード管理システムでは、容易にマルチベンダのＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置に対するＤＳＬモード管理を提供することが可能となる。
【００２３】
上記のように、本発明のＤＳＬモード管理システムは、（１）実際に各種ＤＳＬモード等のパラメータ設定を実施して最も獲得レートの高かった設定を採用すること、（２）エンドユーザの獲得レートがサービス変更によって落ちてしまう状況を検出し、その場合に設定を元に戻すこと、（３）各装置に設定するＤＳＬ設定パラメータの記述が簡潔で柔軟に拡張可能なこと、（４）回線リストを分類分けするともに、問題回線リストを電子メールにて通知可能なこと等の特徴を持つ。
【発明の効果】
【００２４】
本発明は、以下に述べるような構成及び動作とすることで、ＤＳＬサービス変更の際に各エンドユーザの環境に合わせた最適なＤＳＬモードを選択・適応することができるという効果が得られる。
【発明を実施するための最良の形態】
【００２５】
次に、本発明の実施例について図面を参照して説明する。図１は本発明の一実施例によるＤＳＬ（Ｄｉｇｉｔａｌ  Ｓｕｂｓｃｒｉｂｅｒ  Ｌｉｎｅ）モード管理システムの構成を示すブロック図である。図１において、本発明の一実施例によるＤＳＬモード管理システムは速度保証型ＤＳＬモード管理サーバ１とＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）装置（Ａ）７−１及びＤＳＬＡＭ装置（Ｂ）７−２とを管理系ネットワーク１００で接続して構成されている。
【００２６】
速度保証型ＤＳＬモード管理サーバ１はＤＳＬＡＭ装置（Ａ）７−１及びＤＳＬＡＭ装置（Ｂ）７−２からモデム機種名、ＤＳＬモード、獲得レート等の回線運用データ収集を行うとともに、対象回線に対して順次取得可能なＤＳＬモード毎の設定を行い、その結果として最も高レートとなる最適ＤＳＬモード設定を割り出す。
【００２７】
また、速度保証型ＤＳＬモード管理サーバ１はＤＳＬＡＭ装置（Ａ）７−１及びＤＳＬＡＭ装置（Ｂ）７−２との間で装置管理情報の通信を行う管理系ネットワーク１００を介してＤＳＬＡＭ装置（Ａ）７−１及びＤＳＬＡＭ装置（Ｂ）７−２とデータの送受信を行う。
【００２８】
ここで、管理系ネットワーク１００はＤＳＬＡＭ装置（Ａ）７−１及びＤＳＬＡＭ装置（Ｂ）７−２を管理するためのみに使用されるネットワークであり、エンドユーザがインタネット等にアクセスする際に使用されるユーザトラフィックが流れるネットワークとは物理的あるいは論理的に分離されたネットワークである。
【００２９】
また、ＤＳＬＡＭ装置（Ａ）７−１及びＤＳＬＡＭ装置（Ｂ）７−２は、速度保証型ＤＳＬモード管理サーバ１とは別機種の装置であり、ＤＳＬ回線を多重する装置である。
【００３０】
速度保証型ＤＳＬモード管理サーバ１は管理制御部２と、回線管理データ保持部３と、リスト保持部４と、監視対象モデム機種名データ保持部５と、モード別・設定値プロファイル保持部６とからなる。
【００３１】
管理制御部２はシステム全体を制御し、回線管理データ保持部３はＤＳＬＡＭ装置（Ａ）７−１及びＤＳＬＡＭ装置（Ｂ）７−２から収集した回線運用データを保持する。リスト保持部４は速度保証型ＤＳＬモード管理サーバ１内部での処理の結果、最終的に各回線をその状態によって分類・生成したリストを保持する。
【００３２】
監視対象モデム機種名データ保持部５は速度保証型ＤＳＬモード管理サーバ１の監視対象回線を割り出すフィルタリング情報として使用するモデム機種名を保持する。モード別・設定値プロファイル保持部６はＤＳＬＡＭ装置（Ａ）７−１及びＤＳＬＡＭ装置（Ｂ）７−２各々に対して設定するＤＳＬ設定パラメータ群をＤＳＬモード毎に分類して保持するからなる。
【００３３】
管理制御部２は記録媒体２０と、動作制御部２１と、装置データ収集部２２と、装置インタフェース（Ａ）２３−１及び装置インタフェース（Ｂ）２３−２と、装置データ設定部２４と、Ｅメール（Ｅｌｅｃｔｒｏｎｉｃ  Ｍａｉｌ：電子メール）通知手段２５と、データ登録手段２６と、タイマ制御部２７とから構成されている。
【００３４】
記録媒体２０は管理制御部２で実行されてシステム全体の制御を行うためのシステムプログラムを格納する。動作制御部２１は記録媒体２０のプログラムを実行し、タイマ制御部２７からの通知を受けてシステム内の各処理をコントロールする。
【００３５】
装置データ収集部２２は動作制御部２１からの命令を受けて、各装置から装置インタフェース（Ａ）２３−１及び装置インタフェース（Ｂ）２３−２を介してモデム機種名、ＤＳＬモード、獲得レート等の装置データを収集する。装置データ設定部２４は動作制御部２１からの命令を受けて、各装置に対して装置インタフェース（Ａ）２３−１及び装置インタフェース（Ｂ）２３−２を介してＤＳＬパラメータ設定値群の設定を実施する。
【００３６】
Ｅメール通知手段２５は動作制御部２１からの命令を受けて、リスト保持部４で保持する問題回線リストを添付しつつＥメールによって一連の処理終了をシステム管理者に通知する。データ登録手段２６は監視対象モデム機種名データ保持部５やモード別・設定値プロファイル保持部６へのデータ登録を実施する。タイマ制御部２７はシステムの動作トリガを与える。
【００３７】
尚、本実施例では、装置インタフェース（Ａ）２３−１がＤＳＬＡＭ装置（Ａ）７−１との間のデータ収集・設定を実施し、装置インタフェース（Ｂ）２３−２がＤＳＬＡＭ装置（Ｂ）７−２との間のデータ収集・設定を実施するというように、装置機種別のインタフェースの違いをこれらの装置インタフェース（Ａ）２３−１及び装置インタフェース（Ｂ）２３−２の違いによって吸収することが可能である。
【００３８】
図２は図１の回線管理データ保持部３の構成を示す図である。図２において、回線管理データ保持部３は各装置内の回線を一意に識別可能な回線識別子３１（「０１００２４１６８０２４００４００１」，「０１００２４１６８０２４００８０１５」，・・・）と、該当回線の現在の（最適化処理実施前の）ＤＳＬモード３２（「Ｇ．９９２．１  Ａｎｎｅｘ．Ｃ  ＤＢＭ（ｄｕａｌ  ｂｉｔｍａｐ）」，「Ｇ．９９２．１  Ａｎｎｅｘ．Ｉ」，・・・）と、該当回線の現在の（最適化処理実施前の）獲得レート３３（「５４７８」，「１８６５３」，・・・）と、最適化処理実施後のＤＳＬモード３４（「Ｇ．９９２．１  Ａｎｎｅｘ．Ｉ」，「Ｇ．９９２．１  Ｑｕａｄ」，・・・）と、最適化処理実施後の獲得レート３５（「１３２１８」，「３０５６３」，・・・）と、最適化処理実施中にネットワーク断等の異常状態が発生したかどうかを示す異常識別フラグ３６とからなる。
【００３９】
ここで、異常識別フラグ３６はその値として「ｔｒｕｅ（異常なし）」と、「ｆａｌｓｅ（異常あり）」と、「ＮＵＬＬ（最適化処理実行前の初期値）」とのいずれかの値をとる。
【００４０】
図３は図１のリスト保持部４の構成を示す図である。図３において、リスト保持部４は最適化処理の結果として得られた回線管理データ保持部３のデータを基に、各回線を分類したリストを保持する。
【００４１】
つまり、リスト保持部４は最適化処理実施の結果として実施前より獲得レートが向上した回線のリストを示すレートアップ回線リスト４１と、最適化処理を実施した結果として実施前より獲得レートが落ちてしまったために元のＤＳＬモード設定に戻した回線のリストを示すサービス未変更回線リスト４２と、最適化処理実施中及び実施後に元のＤＳＬモードに戻す際に何らかの障害（例：ネットワーク障害）が発生してＤＳＬモード設定に失敗した回線のリストを示す異常発生回線リスト４３とからなるリストを保持している。
【００４２】
図４は図１のモード別・設定値プロファイル保持部６の構成を示す図である。図４において、モード別・設定値プロファイル保持部６はＤＳＬモード毎にＤＳＬ回線パラメータ群を記したＤＳＬモード＃１用プロファイル６１−１、ＤＳＬモード＃２用プロファイル６１−２、ＤＳＬモード＃３用プロファイル６１−３、・・・からなる。このＤＳＬモード用プロファイルは、新たなＤＳＬ技術が出る度にそれに対応したプロファイルをデータ登録手段２６を介して投入することが可能である。
【００４３】
速度保証型ＤＳＬモード管理サーバ１が定常動作を行う前には、データ登録手段２６によって、モード別・設定値プロファイル保持部６及び監視対象モデム機種名データ保持部５を予め登録しておく必要がある。
【００４４】
図５は本発明の一実施例による速度保証型ＤＳＬモード管理サーバ１の動作を示すフローチャートである。これら図１〜図５を参照して速度保証型ＤＳＬモード管理サーバ１の動作について説明する。尚、図５に示す処理は管理制御部２が記録媒体２０のシステムプログラムを実行することで実現される。
【００４５】
速度保証型ＤＳＬモード管理サーバ１ではシステムの動作が開始されると、タイマ制御部２７が処理開始時間の判定を行い（図５ステップＳ１）、処理時間になると、動作制御部２１に処理の開始を通知する。動作制御部２１ではタイマ制御部２７からの通知を受けると、監視対象モデム機種名データ保持部５及び回線管理データ保持部３から異常フラグが「ｔｒｕｅ」である回線のリストを読出す（図５ステップＳ２）。
【００４６】
次に、動作制御部２１は装置データ収集部２２を介して装置インタフェース（Ａ）２３−１や装置インタフェース（Ｂ）２３−２によって配下の全装置から全回線のモデム機種名、ＤＳＬモード、獲得レートのデータを収集する（図５ステップＳ３）。
【００４７】
動作制御部２１は収集した各回線のデータからモデム機種名が監視対象モデム機種名データ保持部５に含まれており、かつ異常フラグが「ｔｒｕｅ」である回線のリストに含まれない回線のデータを取出し、回線管理データ保持部３に書込む（図５ステップＳ４）。
【００４８】
このステップＳ４の処理の目的は次のモード最適化処理の対象回線を割り出すことであり、同時に、一度モード最適化処理を実施して異常が発生しなかった回線に対して、再度の最適化処理を実施しないようにすることである。また、ここで書込みが行われるのは、回線管理データ保持部３内の回線識別子３１、最適化処理実施前のＤＳＬモード３２、最適化処理実施前の獲得レート３３のみとなる。
【００４９】
次に、動作制御部２１はモード最適化処理を実施する（図５ステップＳ５）。このモード最適化処理については後述する。また、動作制御部２１はモード最適化処理が実施された後の回線管理データ保持部３のデータを用いて各種リスト（レートアップ回線リスト４１、サービス未変更回線リスト４２、異常発生回線リスト４３）の生成を行い、それらのリストをリスト保持部４に書込む（図５ステップＳ６）。
【００５０】
ここで、レートアップ回線リスト４１としては異常発生フラグ３６が「ｔｒｕｅ」で、モード最適化処理実施後の獲得レート３５がモード最適化処理実施前の獲得レート３３以上である回線一式がリストとして抽出される。
【００５１】
サービス未変更回線リスト４２としては異常発生フラグ３６が「ｔｒｕｅ」で、モード最適化処理実施後の獲得レート３５がモード最適化処理実施前の獲得レート３３未満である回線一式がリストとして抽出される。
【００５２】
異常発生回線リスト４３としては異常発生フラグ３６が「ｆａｌｓｅ」である回線一式がリストとして抽出される。
【００５３】
最後に、動作制御部２１はリスト保持部４からサービス未変更回線リスト４２と異常発生回線リスト４３とを取出し、それらをＥメールの添付ファイルとしてＥメール通知手段２５から処理の終了を通知させる（図５ステップＳ７）。
【００５４】
図６は図１の動作制御部２１によるモード最適化処理を示すフローチャートである。これら図１〜図４と図６とを参照して動作制御部２１によるモード最適化処理について説明する。尚、図６に示す処理は管理制御部２が記録媒体２０のシステムプログラムを実行することで実現される。
【００５５】
動作制御部２１はモード最適化処理が開始されると、登録されているモード別・設定値プロファイル保持部６の全データを読出す（図６ステップＳ１１）。動作制御部２１は上記のステップＳ４で割り出したモード最適化処理の対象回線で、まだ処理未実施の回線があるかどうかの確認を実行する（図６ステップＳ１２）。
【００５６】
動作制御部２１は未処理の回線があった場合、初期化処理として最大レートに最適化処理実施前の獲得レート３３を、最大レート時ＤＳＬモードに最適化処理実施前のＤＳＬモード３２を、状態フラグに「ｆａｌｓｅ」をそれぞれ代入し、適応設定値プロファイル群として上記のステップＳ１１で読出した全プロファイルから最適化処理実施前のＤＳＬモード３２に対応するものを除いたプロファイルを用意する（図６ステップＳ１３）。
【００５７】
動作制御部２１はこのステップＳ１３で割り出した適応するプロファイルに、まだ未適応のプロファイルが存在するかどうかを確認する（図６ステップＳ１４）。動作制御部２１は未適応のプロファイルが存在する場合、装置データ設定部２４を介して装置インタフェース（Ａ）２３−１及び装置インタフェース（Ｂ）２３−２を用いてＤＳＬＡＭ装置（Ａ）７−１及びＤＳＬＡＭ装置（Ａ）７−２の該当回線に対して設定を実施する。
【００５８】
動作制御部２１は設定実施後、モデムのリンクアップ時間を考慮し、しばらく待機処理をした後、該当回線の獲得レートを読出す（図６ステップＳ１５）。動作制御部２１は獲得レートの読出しに成功すると（図６ステップＳ１６）、状態フラグを「ｔｒｕｅ」に設定し（図６ステップＳ１７）、獲得レートと最大レートとの比較を実施する（図６ステップＳ１８）。
【００５９】
動作制御部２１は獲得レートが最大レート以上であれば、最大レートを獲得レートで置き換え、上記のステップＳ１５で読出したプロファイルのＤＳＬモードを最大レート時ＤＳＬモードとして置き換える（図６ステップＳ１９）。
【００６０】
動作制御部２１は上記のステップＳ１４の処理において、未適応のプロファイルが存在しない場合、最大レート時ＤＳＬモードに対応する設定値プロファイルを再度、装置に対して設定した後、該当回線についての最大レート、最大レート時ＤＳＬモード、状態フラグの値を決定し、一時保持領域において保持する（図６ステップＳ２０）。
【００６１】
動作制御部２１は上記のステップＳ１２の処理において、モード最適化処理が未実施の対象回線が存在しない場合、全対象回線について回線管理データ保持部３へのデータ書込みを実施する（図６ステップＳ２１）。その際、動作制御部２１は最大レートを最適化処理実施後の獲得レート３５に、最大レート時ＤＳＬモードを最適化処理実施後のＤＳＬモード３４に、状態フラグを異常識別フラグ３６にそれぞれ書込み、モード最適化処理を終了する。
【００６２】
このように、本実施例では、モード最適化処理によってモード別・設定値プロファイル保持部６を順次適応させ、最も獲得レートの高いＤＳＬモードでの運用を行うために、エンドユーザのより高レートのサービスへのＤＳＬサービス変更の際にも、各エンドユーザの環境に合わせた最適なＤＳＬモードを選択・適応することができるため、悪くともサービス変更前と同レートのサービスを提供することができる。
【００６３】
また、本実施例では、監視対象モデム機種名データ保持部５及び回線管理データ保持部３の蓄積データから監視対象回線を自動的に割り出すことができるため、図示せぬ顧客サーバ等の他システムとの連携やシステム管理者によるデータ登録によって監視対象回線をシステムに通知するという煩わしさを避けることができる。
【００６４】
さらに、本実施例では、監視対象モデム機種名データ保持部５やモード別・設定値プロファイル保持部６を簡易な構成とし、データ登録手段２６によってデータの登録・変更が可能であるため、新規のＤＳＬ技術が導入された場合等にも、それぞれデータの追加を行うことによって、管理制御部２で実行するシステムプログラムの変更を伴わずに対応することができる。
【００６５】
さらにまた、本実施例では、装置データ設定部２４や装置データ収集部２２が装置インタフェース（Ａ）２３−１及び装置インタフェース（Ｂ）２３−２と独立に配設されているので、異機種の装置（他ベンダの装置）が監視下に追加された場合にも、装置インタフェース（Ａ）２３−１及び装置インタフェース（Ｂ）２３−２の部分のみを追加することによって、システムに収容可能であり、システムのマルチベンダ装置対応が容易となる。
【００６６】
図７は本発明の他の実施例によるＤＳＬモード管理システムの構成を示すブロック図である。図７において、本発明の他の実施例によるＤＳＬモード管理システムは管理制御部２の装置インタフェース（Ａ）２３−１及び装置インタフェース（Ｂ）２３−２を管理制御部２ａの装置管理サーバ・インタフェース（Ａ）２８−１及び装置管理サーバ・インタフェース（Ｂ）２８−２に置き換え、装置管理サーバ（Ａ）８−１及び装置管理サーバ（Ｂ）８−２を介して速度保証型ＤＳＬモード管理サーバ１ａとＤＳＬＡＭ装置（Ａ）７−１及びＤＳＬＡＭ装置（Ｂ）７−２とを接続した以外は図１に示す本発明の一実施例によるＤＳＬモード管理システムと同様の構成となっている。尚、本発明の一実施例によるＤＳＬモード管理システムと同様の構成については図７においてその図示を省略している。
【００６７】
装置管理サーバ（Ａ）８−１は速度保証型ＤＳＬモード管理サーバ・インタフェース８１−１と、自サーバ内の制御を行う動作制御部８２−１と、装置インタフェース（Ａ）８３−１とから構成され、装置管理サーバ（Ｂ）８−２は速度保証型ＤＳＬモード管理サーバ・インタフェース８１−２と、自サーバ内の制御を行う動作制御部８２−２と、装置インタフェース（Ｂ）８３−２とから構成されている。
【００６８】
速度保証型ＤＳＬモード管理サーバ１ａから装置管理サーバ（Ａ）・インタフェース８１−１を介して装置からのデータ収集または装置へのデータ設定要求があると、装置管理サーバ（Ａ）８−１は動作制御部８２−１が速度保証型ＤＳＬモード管理サーバ・インタフェース８１−１を介してデータを受取り、装置インタフェース（Ａ）８３−１を介して実際にＤＳＬＡＭ装置（Ａ）７−１からのデータ収集及びＤＳＬＡＭ装置（Ａ）７−１へのデータ設定を実施する。
【００６９】
このように、本発明は、本発明の一実施例で一体化して搭載される機能モジュール（管理制御部２の各機能モジュール）を、上記の本発明の他の実施例のように、サーバマシン［装置管理サーバ（Ａ）８−１及び装置管理サーバ（Ｂ）８−２］に分けて実装し、分散サーバ構成でシステムを構成することも可能である。
【００７０】
図８は本発明の別の実施例によるＤＳＬモード管理システムの構成を示すブロック図である。図８において、本発明の別の実施例によるＤＳＬモード管理システムは監視対象回線データ保持部１０を設け、管理制御部２ｂに他サーバ・インタフェース２９を配設した以外は図１に示す本発明の一実施例によるＤＳＬモード管理システムと同様の構成となっており、同一構成要素には同一符号を付してある。
【００７１】
本実施例では、他サーバ９と連携し、監視対象回線データを収集して監視対象回線データ保持部１０に保持する場合が考えられる。図１に示す本発明の一実施例では配下のＤＳＬＡＭ装置（Ａ）７−１及びＤＳＬＡＭ装置（Ｂ）７−２の全回線のデータを収集し、監視対象モデム機種名データ保持部５を用いてフィルタリングすることによって、速度保証型ＤＳＬモード管理サーバ１自体で監視対象回線の割り出しを行っている。
【００７２】
これに対し、本実施例では、速度保証型ＤＳＬモード管理サーバ１ｂがタイマ制御部２７からの通知によって動作制御部２１が他サーバ・インタフェース２８を介して他サーバ９から監視対象回線データを収集し、監視対象回線データ保持部１０に保持している。他サーバ９とは、具体的にはエンドユーザのデータを管理する顧客情報管理サーバ等に相当する。
【００７３】
図１に示す本発明の一実施例では、監視対象回線を装置のハードウェアの情報を基に割り出しているのに対して、本実施例ではエンドユーザからのサービス申し込み時の契約に基づくデータから監視対象回線を割り出す方式である。
【００７４】
このように、本発明では、上述したように、速度保証型ＤＳＬモード管理サーバ１ｂが他サーバ９から監視対象回線データを取得して監視対象回線データ保持部１０に保持する構成も含まれる。
【図面の簡単な説明】
【００７５】
【図１】本発明の一実施例によるＤＳＬモード管理システムの構成を示すブロック図である。
【図２】図１の回線管理データ保持部の構成を示す図である。
【図３】図１のリスト保持部の構成を示す図である。
【図４】図１のモード別・設定値プロファイル保持部の構成を示す図である。
【図５】本発明の一実施例による速度保証型ＤＳＬモード管理サーバの動作を示すフローチャートである。
【図６】図１の動作制御部によるモード最適化処理を示すフローチャートである。
【図７】本発明の他の実施例によるＤＳＬモード管理システムの構成を示すブロック図である。
【図８】本発明の別の実施例によるＤＳＬモード管理システムの構成を示すブロック図である。
【符号の説明】
【００７６】
１，１ａ，１ｂ  速度保証型ＤＳＬモード管理サーバ
２，２ａ，２ｂ  管理制御部
３  回線管理データ保持部
４  リスト保持部
５  監視対象モデム機種名データ保持部
６  モード別・設定値プロファイル保持部
７−１  ＤＳＬＡＭ装置（Ａ）
７−２  ＤＳＬＡＭ装置（Ｂ）
８−１  装置管理サーバ（Ａ）
８−２  装置管理サーバ（Ｂ）
９  他サーバ
１０  監視対象回線データ保持部
２０，２０ａ，
２０ｂ  記録媒体
２１  動作制御部
２２  装置データ収集部
２３−１  装置インタフェース（Ａ）
２３−２  装置インタフェース（Ｂ）
２４  装置データ設定部
２５  Ｅメール通知手段
２６  データ登録手段
２７  タイマ制御部
２８−１  装置管理サーバ・インタフェース（Ａ）
２８−２  装置管理サーバ・インタフェース（Ｂ）
２９  他サーバ・インタフェース
３１  回線識別子
３２  最適化処理実施前のＤＳＬモード
３３  最適化処理実施前の獲得レート
３４  最適化処理実施後のＤＳＬモード
３５  最適化処理実施後の獲得レート
３６  異常識別フラグ
４１  レートアップ回線リスト
４２  サービス未変更回線リスト
４３  異常発生回線リスト
６１−１  ＤＳＬモード＃１用プロファイル
６１−２  ＤＳＬモード＃２用プロファイル
６１−３  ＤＳＬモード＃３用プロファイル
８１−１，８１−２  速度保証型ＤＳＬモード管理サーバ・インタフェース
８２−１，８２−２  動作制御部
８３−１  装置インタフェース（Ａ）
８３−２  装置インタフェース（Ｂ）
１００  管理系ネットワーク
【図１】
2005151371.tif 000003
【図２】
2005151371.tif 000004
【図３】
2005151371.tif 000005
【図４】
2005151371.tif 000006
【図５】
2005151371.tif 000007
【図６】
2005151371.tif 000008
【図７】
2005151371.tif 000009
【図８】
2005151371.tif 000010